(57)【要約】【課題】浅い受け皿の内側に人工芝を敷き詰め人工芝の葉と葉の隙間に鉢の底から流れ出た汚水を溜めるようにすることにより鉢の底から流れ出る汚水によって美観が損なわれることがない植木鉢用の受け皿を提供する。【解決手段】受け皿の内側全体に人工芝を敷き詰め鉢の底から流れ出る汚水が人工芝の葉と葉の隙間に溜まるようにする。【選択図】図１
2011254797.tif 000002
【特許請求の範囲】
【請求項１】
受け皿の内側にプラスチック製の人工芝を敷き詰め人工芝の葉と葉の隙間に鉢の底から流れ出る汚水を溜めることを特徴とする植木鉢用の受け皿
【請求項２】
受け皿の内側に敷き詰めることを目的とする受け皿の形状に合わせてカットしたジョイントタイプのように目の粗い人工芝２または柔らかいシートにプラスチック製の葉を植え込んだシートタイプの人工芝４
【発明の詳細な説明】
【技術分野】
【０００１】鉢の底から流れ出る汚水を受け止め鉢の周辺が水で汚れないようにする植木鉢用の受け皿に関するものである。
【背景技術】
【０００２】  多くの鉢植えの木や草花は鉢の上から水をかけて給水する方法が一般的である。しかし鉢植えのシクラメンのように底面給水によって給水できる種類の花もある。【０００３】鉢の上から水をかけると鉢の底から土と水が混じった汚水が流れ出るため鉢の下に受け皿を置かないと鉢の周辺が土と水が混じった汚水で汚れてしまう。従来の受け皿は深い皿のような形状をしており鉢のサイズに対して少しだけ大きいサイズの受け皿が使われることが多かった。【０００４】  従来の深い皿型の受け皿では植木鉢のサイズに対して大きなサイズの受け皿を置くと見た目のバランスが悪くなる。それに加え鉢の底から流れ出た汚水が受け皿全体に広がることによって美観が大きく損なわれる欠点があった。鉢の底から流れ出た汚水によって美観が大きく損なわれないようにするには鉢の底から流れ出た汚水が目立たないようにする必要があり従来の受け皿では鉢の底面よりも少しだけ大きいサイズの受け皿を鉢の下に置くことによって鉢の底から流れ出た汚水があまり目立たないようにしていた。しかし鉢の底面よりも少しだけ大きいサイズの受け皿だと水をかけすぎて受け皿から水をあふれさせてしまうことがあった。【０００５】  受け皿のサイズを大きくせずに水をあふれさせないようにするには受け皿の形状を深くすればよいが受け皿を深くしてしまうと鉢の底から流れ出た汚水が長時間受け皿に溜まったままになってしまう。汚水が長時間受け皿に溜まったままになると鉢底面からの空気の供給が長時間遮断され土の水分量も多くなって鉢に植えられた木や草花の成長が阻害される不具合が発生する。また鉢の上から水をかけて給水する時に葉に水がかかってしまうと水が葉に沿って受け皿の外側に流れ落ち鉢の周りを濡らしてしまうこともあった。【０００６】鉢の底から流れ出る汚水によって美観が損なわれないように受け皿に溜まった水が鉢の外側に広がらないようにしたり、鉢の底から流れ出た汚水と接しないように鉢を高い位置に保持できるようにしたものや鉢の底から流れ出た汚水を捨てやすいようにしたものなどこれらの欠点を改善するように工夫された受け皿はこれまでにも数多く考案されている。
【先行技術文献】
【特許文献】
【０００７】    特許公開２００９−２４７３３６
特許公開２００８−２１２１３０
特許出願２００３−３００８４６
特許出願平８−２７８５０６
特許出願平７−１２４１７８
実用新案出願平３−３９２６４
実用新案出願平３−１１３８９４
【発明の概要】
【発明が解決しようとする課題】
【０００８】受け皿の内側に人工芝を敷き詰めることにより鉢の上から水をかけて給水したときに鉢の底から流れ出た汚水によって美観が損なわれることがない植木鉢用の受け皿を提供する。【０００９】受け皿に敷き詰めた人工芝によって鉢の重さを保持し、人工芝の葉と葉の隙間に溜まった汚水と鉢の底が接しないようにすることにより受け皿に長時間水が溜まったままになっても鉢の底面からの通気性を確保できる受け皿を提供する。【００１０】受け皿に人工芝を敷き詰めることにより受け皿のサイズを大きくしても鉢と受け皿の見た目のバランスが悪くならない受け皿を提供する。植木鉢に植えられた木や草花の葉よりも受け皿のサイズを大きくすることにより鉢の底から流れ出る汚水だけでなく葉に沿って流れ落ちる水も受け止められる受け皿を提供する。【００１１】受け皿に人工芝を敷き詰めることにより人工芝の空間に水を溜めたままにしても美観が損なわれない利点を利用し受け皿に溜めた水を底面給水用の水として利用できる受け皿を提供する。
【課題を解決するための手段】
【００１２】受け皿の内側全体に人工芝を敷き詰め鉢の底から流れ出る汚水が人工芝の葉と葉の隙間に溜まるようにする。【００１３】人工芝にもいろいろなタイプがあるが受け皿の上に置く鉢に合わせて人工芝のタイプを選ぶことができる。人工芝には四角いタイル形状をしたものを連結して使用するジョイントタイプの人工芝と柔らかいシートにプラスチック製の葉を植え込んだシートタイプの人工芝がある。ジョイントタイプ人工芝は目が粗く硬いので剛性が高く重い鉢でも保持することができる。シートタイプの人工芝は柔らかいので剛性はあまり高くないが受け皿の上に置く鉢が重くなければシートタイプの人工芝でも鉢を保持することができる。【００１４】人工芝の剛性によって鉢を保持することにより人工芝の葉と葉の隙間に溜まった汚水と鉢の底が接しないようにすることができる。汚水と鉢の底が接しないようにすることにより受け皿に長時間水が溜まったままになっても鉢の底面からの空気の供給が遮断されることなく鉢底面の通気性が常に確保できる。【００１５】  受け皿に人工芝を敷き詰めることにより土と一緒に鉢の底から流れ出た汚水が受け皿全体に広がっても美観が損なわれることがなくなるため鉢の大きさに対してサイズが大きい受け皿を鉢の下に置くことができる。受け皿のサイズを植木鉢に植えられた木や草花の葉よりも大きくすることによって鉢の底から流れ出る汚水だけでなく葉に沿って流れ落ちる水も受け止めることができるようになる。【００１６】受け皿のサイズを大きくするとサイズを大きくした分だけ従来の受け皿より多くの水を溜めておくことができるようになる。受け皿のサイズを大きくした分だけ受け皿を浅くすることが可能になり人工芝の高さと受け皿の高さを合わせることができる。人工芝の高さと受け皿の高さを合わせることによって受け皿を浅くして目立たなくすることができる。【００１７】受け皿に人工芝を敷き詰めることにより人工芝の葉と葉の隙間に水を溜めたままにしても美観が損なわれないことと受け皿のサイズを大きくすることによって従来の受け皿よりも多くの水を溜めることが可能となる利点を生かし受け皿に溜めた水を底面給水用の水としても利用できる。鉢を置く部分の人工芝をくり抜き鉢の底に差し込まれた給水マットをくり抜いた部分に差し込むことによって受け皿に溜めた水を吸い上げることができる。
【発明の効果】
【００１８】受け皿の内側に人工芝を敷き詰め人工芝の葉と葉の隙間に汚水を溜めるようにすることにより人工芝の葉と葉の隙間に溜められた汚水は真上から覗き込めば汚水の存在は確認できるが少し斜め上から見れば人工芝の葉に隠れて汚水は見えなくなる。鉢の底から汚水が流れ出し受け皿全体に広がっても通常植木鉢に植えられた木や草花を観賞する位置からは人工芝によって汚水は見えなくなるので汚水によって美観が損なわれることがなくなる。【００１９】  受け皿の内側に人工芝を敷き詰めることにより受け皿全体がコップの下に置くコースターのように薄い板状に見える。受け皿全体が薄い板状に見えることにより鉢のサイズに対して大きなサイズの受け皿を置いてもコップの下にコースターを置いた時と同じように鉢と受け皿の見た目のバランスは悪くならない。木や草花の葉よりも受け皿を大きくすることにより鉢の底から流れ出る汚水だけでなく葉に沿って流れ落ちる水も受け止めることができる。受け皿を大きくすれば鉢の上から水をかけるとき葉に水がかかってしまっても鉢の周囲が水で汚れなくなる。【００２０】受け皿のサイズを大きくするとサイズを大きくした分だけ従来の受け皿より多くの水を溜めておくことができるようになる。受け皿のサイズを大きくした分だけ受け皿を浅くすることが可能になり人工芝の高さと受け皿の高さを合わせることができる。人工芝の高さと受け皿の高さを合わせることによって受け皿を浅くし目立たないデザインにすることができる。受け皿を目立たないデザインにすれば一見鉢の下に人工芝だけを敷いただけようなデザインにすることも可能である。【００２１】人工芝を敷き詰めることにより上に置く鉢のサイズに合わせるのではなく受け皿を置くスペースに合わせた大きな形状の受け皿をつくることができる。従来の受け皿のようにひとつの鉢に対してひとつの受け皿ではなく置くスペースに合わせた形状の大きな受け皿の上に複数の鉢を自由にレイアウトして置く事も可能である。【００２２】受け皿に敷き詰めた人工芝の剛性によって鉢を保持することにより人工芝の葉と葉の隙間に溜まった汚水と鉢の底が接しなくなり受け皿に溜まった汚水によって鉢の底面からの空気の供給が遮断されることなくなり受け皿に溜まった水を捨てなくても鉢底面の通気性を常に確保できる。また受け皿を浅く大きくすることにより受け皿全体に広がった汚水は小さな受け皿に比べ蒸発しやすくなる。【００２３】人工芝の葉と葉の隙間に水を溜めたままにしても美観が損なわれないことと受け皿のサイズを大きくすることによって従来の受け皿よりも多くの水を溜めることが可能となる。受け皿に敷き詰めた人工芝の一部をくり抜くことにより底面給水用の鉢の底に差し込まれた給水マットが受け皿に溜めた水と接するようにすることができる。人工芝をくり抜いた部分の上に給水マットを差し込んだ鉢を置くだけで受け皿に溜めた水を底面給水用の水として利用できる。また水の補給も従来の底面給水用鉢は給水部分が狭く給水しにくかったが人工芝の部分に水を流し込めばいいので水の補給も楽になる。
【図面の簡単な説明】
【００２４】
【図１】は受け皿の内側に硬くて目の粗い人工芝を敷き詰め人工芝の葉と葉の隙間に鉢の底から流れ出る汚水を溜めることを特徴とする植木鉢用の受け皿の実施例を示した断面図である。
【図２】は受け皿の内側に硬くて目の粗い人工芝を敷き詰め人工芝の葉と葉の隙間に鉢の底から流れ出る汚水を溜めることを特徴とする植木鉢用の受け皿の実施例を示した平面図である。
【図３】は浅い受け皿の内側にシート状の人工芝を敷き詰め人工芝の葉と葉の隙間に鉢の底から流れ出る汚水を溜めることを特徴とする植木鉢用の受け皿の実施例を示した断面図である。
【図４】は浅い受け皿の内側にシート状の人工芝を敷き詰め人工芝の葉と葉の隙間に鉢の底から流れ出る汚水を溜めることを特徴とする植木鉢用の受け皿の実施例を示した平面図である。
【図５】は浅い受け皿の内側に目の粗い人工芝を敷き詰め人工芝の葉と葉の隙間に水を溜め人工芝の一部をくり抜くことにより底面給水を可能とする実施例を示した断面図である。
【発明を実施するための形態】
【００２５】発明の実施の形態を代表的な実施例にもとづき図面１から図面５を参照して説明する。
【実施例】
【００２６】図１及び図２に示す実施例では大きな重い鉢を置くことができる受け皿の実施例を示す。図１及び図２に示すように丸い受け皿１の内側に目の粗い人工芝２を敷き詰め人工芝２の葉と葉の隙間に鉢の底から流れ出る汚水を溜める。人工芝２はジョイント式の人工芝のような目の粗い硬いプラスチック製の人工芝を利用し受け皿の形状に合わせてカットしたものを受け皿の内側に敷き詰める。受け皿１は植木鉢に植えられた木や草花の葉に沿って流れ落ちる水も受け止められるよう植木鉢に植えられた木や草花の葉よりも大きいサイズにしたほうがよい。受け皿１は人工芝の高さに合わせ浅くする。図１及び図２に示す実施例では受け皿１は丸い形状にしているが受け皿を上から見た形状は丸い形に制限されるものではない。受け皿を上から見た形状と大きさは自由にデザインすることができる。【００２７】図３及び図４に示す実施例ではあまり重くない鉢を置くための受け皿の実施例を示す。図３及び図４に示すように四角い受け皿３の内側にシート状の人工芝４を敷き詰め人工芝４の葉と葉の隙間に鉢の底から流れ出る汚水を溜める。人工芝４はシート状の人工芝を利用し受け皿の形状に合わせてカットしたものを受け皿の内側に敷き詰める。図３及び図４に示す実施例では受け皿３は四角い形状にしているが受け皿を上から見た形状は四角い形に制限されるものではない。受け皿３を上から見た形状と大きさは自由にデザインすることができる。【００２８】  図１及び図２に示す実施例及び図３及び図４に示す実施例はどちらとも受け皿を上から見た形状と大きさは自由にデザインできるが、目の粗い硬いプラスチック製の人工芝２に比べシート状の人工芝４は葉の長さが短く受け皿は薄いものとなる。目の粗い硬いプラスチック製の人工芝２は重い鉢を単体で置くための受け皿に適する。シート状の人工芝４は室内の空いたスペースに合わせた形状の大きな受け皿に適する。出窓、テーブル、棚または部屋のコーナー部分等の空きスペースに合わせ受け皿を上から見た形状を台形、四角形、扇方または楕円形にすることが考えられる。空きスペースに形状を合わせた大きな受け皿を提供することによりひとつの大きな受け皿の上に複数の鉢を並べて置くことができる。【００２９】図５に示す実施例では受け皿に溜めた水を底面給水用の水として利用できるようにした受け皿の実施例を示す。受け皿１の内側に目の粗い硬いプラスチック製の人工芝２を敷き詰め、受け皿の内側に敷き詰めた人工芝の一部をくり抜き人工芝をくり抜いた部分５に鉢の底に差し込まれた給水マット６を差し込むことにより人工芝の葉と葉の隙間に溜められた水を吸い上げられるようにする。くり抜いた部分の人工芝は廃棄せず給水マットを差し込んだ後に元の位置に置いてもよい。くり抜いた部分の人工芝を元の位置におくことにより図１及び図２と同じ受け皿としても使用することができる。
【産業上の利用可能性】
【００３０】従来室内で鉢植えの木や草花を観賞するには鉢の上から水をかけるときに鉢の周囲を水で濡らさないよう慎重に水をかける必要があり鉢植えの木や草花を室内置くことに躊躇することが多かった。鉢の上から水をかけるときに鉢の周囲を水で濡らす心配を取り除き室内でも気楽に鉢に水をかけることができれば今まで屋外に置いて鑑賞していた鉢植えの木や草花を室内でも気軽に楽しむことができる。室内でも鉢植えの木や草花を気軽に楽しめれば広い庭が確保できない都市部の住まいでも鉢植えの木や草花を置ける場所が拡大する。置ける場所が拡大すれば鉢植えの木や草花に対する需要も拡大することが期待できる。
【符号の説明】
【００３１】１  丸い受け皿
２  目の粗い人工芝
３  四角い受け皿
４  シート状の人工芝
５  人工芝をくり抜いた部分
６  給水マット
【図１】
2011254797.tif 000003
【図２】
2011254797.tif 000004
【図３】
2011254797.tif 000005
【図４】
2011254797.tif 000006
【図５】
2011254797.tif 000007